(57)【要約】      （修正有）【課題】用紙詰まり発生時に用紙位置や定着器温度によって表示部への用紙詰まり処理手順を変更することにより、紙詰まり処理のユーザビリティが向上した画像形成装置を提供する。【解決手段】情報を報知する表示部と、搬送路上の用紙を検出するセンサと、定着器の温度を検知する温度検出手段と、用紙詰まりを判断する制御手段とを有する画像形成装置であって、前記表示部には、温度の情報を含む用紙の取り除き手順を示す第一の表示と、温度の情報を含まない用紙の取り除き手順を示す第二の表示のいずれかが表示され、前記制御手段が用紙詰まりであると判断した場合に、前記表示部に表示される第１の表示と第２の表示のいずれを表示すべきかを判断することを特徴とする。【選択図】図１
2008203512.tif 000002
【特許請求の範囲】
【請求項１】
情報を報知する表示部と、搬送路上の用紙を検出するセンサと、
定着器の温度を検知する温度検出手段と、前記センサからの出力に応じて用紙詰まりを判断する制御手段とを有する画像形成装置であって、
前記表示部には、温度の情報を含む用紙の取り除き手順を示す第一の表示と、温度の情報を含まない用紙の取り除き手順を示す第二の表示のいずれかを表示でき、
前記制御手段は、前記用紙詰まりであると判断した場合に、
前記表示部に表示される前記第一の表示と前記第二の表示のいずれを表示すべきかを判断することを特徴とする画像形成装置。
【請求項２】
前記制御手段は、前記温度検出手段により、所定温度以上を検出した場合に、第一の表示を選択し、所定温度未満を検出した場合に、第二の表示を選択することを特徴とする請求項１記載の画像形成装置。
【請求項３】
前記制御手段は、前記用紙詰まりであると判断された用紙を取り除く際に、ユーザが発熱部分に触れる可能性があると判断した場合に、第一の表示を選択し、前記可能性が無いと判断した場合には、第二の表示を選択することを特徴とする請求項１記載の画像形成装置。
【請求項４】
前記制御手段は、前記温度検出手段により所定温度以上を検出し、かつ前記用紙詰まりであると判断された用紙を取り除く際に、ユーザが発熱部分に触れる可能性があると判断した場合に、前記第一の表示を選択し、前記温度検出手段により、所定温度未満を検出した場合、あるいは前記用紙詰まりであると判断された用紙を取り除く際に、ユーザが発熱部分に触れる可能性が無いと判断した場合に前記第二の表示を選択することを特徴とする請求項１記載の画像形成装置。
【請求項５】
前記第一の表示における温度の情報は、ユーザが発熱部分に触れる可能性があることを含む情報であることを特徴とする請求項１乃至４いずれか記載の画像形成装置。
【請求項６】
前記第一の表示における温度の情報は、用紙取り除き可能になるまでの時間を含む情報であることを特徴とする請求項１乃至４いずれか記載の画像形成装置。
【請求項７】
前記用紙詰まり検出手段と、前記センサにより、
画像形成装置内に複数の用紙詰まりが発生していると判断された場合に、
前記制御手段が、第二の表示に係る用紙がある場合には、第二の表示を優先して前記表示部に表示することを特徴とする請求項１乃至６いずれか記載の画像形成装置。
【発明の詳細な説明】
【技術分野】
【０００１】
本発明は、電子写真方式を用いた画像形成装置に関する。
【背景技術】
【０００２】
従来、現像剤即ちトナーをプリント用紙に定着させることでメモリ上に記憶されているイメージ画像を可視化する画像形成装置は、レーザビームプリンタ装置や複写装置などに代表されるように、その記録装置の静粛性などから広く利用されている。
【０００３】
画像形成装置におけるプリント動作は、例えば特許文献１にあるように公知の電子写真技術即ち露光、現像、転写のプロセスを経て、用紙上にトナーで画像データを可視化し、最後にトナーを該用紙上に定着させることにより行われる。
【０００４】
図２は、このような画像形成装置の一例を示す概略構成図である。同図おいて、４００は画像形成装置として電子写真式のプリンタである。画像形成装置４００において、４０１は静電潜像担持体である感光ドラムである。感光ドラム４０１の上方には、感光ドラム４０１の表面を一様に帯電せしめる帯電ローラ４０２が、その表面に当接するように設けられている。帯電ローラ４０２の、当接位置より感光ドラム４０１の回転方向下流側の帯電された表面には、発光手段によって光ビーム４０３が照射されるようになっている。
【０００５】
該発光手段は、光ビーム４０３を発する半導体レーザ４０４と、平行光に偏光するコリメータレンズ４０５と、前記感光ドラム４０１の表面に走査せしめるポリゴンミラー４０６と、更に該表面でスポットを形成するよう調整する光学レンズ４０８から構成さる。
【０００６】
ポリゴンミラー４０６は、スキャナモータ４０７によって定速制御されている。更に、画像データに応じて光ビーム４０３を照射することにより、前記感光ドラム４０１の表面に静電潜像を形成せしめる。この静電潜像は、光ビーム４０３の照射位置よりも更に感光ドラム４０１の回転方向下流側で感光ドラム４０１に当接するように配設された現像装置４０９によって、トナー像として現像される。このトナー像は、感光ドラム４０１に対向するように配設された転写ローラ４１０によって転写材たる用紙Ｐ上に転写される。
【０００７】
この用紙Ｐは感光ドラム４０１の上流側（図２において下側）の用紙カセット５００内に収納されているが、手差しでも給紙が可能である。用紙カセット５００の端部には給紙ローラ４１１が配設されており、該給紙ローラ４１１が回転しながら上下に揺動し、用紙カセット５００内の用紙Ｐをピックアップしフィードリタードローラ４１８により一番上の用紙が１枚のみ搬送路へ送り込まれる。給紙ローラ４１１と転写ローラ４１０との間の搬送路には、用紙Ｐの斜行補正および感光ドラム４０１上の画像形成と用紙搬送との同期をとるためのレジストローラ４１２が配設されている。
【０００８】
このレジストローラ４１２は、上述した転写位置へ所定のタイミングで用紙Ｐを送り込む。給紙ローラ４１１、レジストローラ４１２および感光ドラム４０１の上流側にある搬送路は、本画像形成装置４００の給紙部を構成する。なお、レジストローラ４１２と給紙ローラ４１１との間には、レジスト紙有無検知センサ４１３が配設されており、用紙Ｐの有無を検知するようになっている。
【０００９】
未定着トナー像を転写された用紙Ｐは、更に感光ドラム４０１の下流側（図２において左側）の定着器４５０へ搬送される。該定着器は内部に定着ヒータ（図示せず）を有する定着ローラ４１４と該定着ローラ４１４に圧接するように配設された加圧ローラ４１５で構成される。そして、サーミスタ４５１により定着ローラの温度を所定プリント温度に制御し、転写部から搬送されてきた用紙Ｐを上記定着ローラ４１４と加圧ローラ４１５との圧接部にて加圧しながら加熱することで、用紙Ｐ上の未定着トナー像を定着せしめる。圧接部の下流側には該圧接部から用紙Ｐが搬送されることを確認する排紙紙有無検知センサ４１６が配設されている。更に、該排紙紙有無検知センサ４１６の下流側には、排紙ローラ４１７が配設されており、該排紙ローラ４１７は定着された用紙Ｐを排出する。
【００１０】
画像形成装置で紙詰まりが検知されたときは、画像形成装置の操作部上の表示部６００に、画像形成装置に残った用紙の処理手順を表示して、紙詰まり処理のユーザビリティの向上を図っている。例えば、レジスト紙有無検知センサ４１３に用紙がある場合には右ドア７００を開けて用紙を取り除くように表示し、排紙紙有無検知センサ４１６に用紙がある場合は左ドア７０１を開けて用紙を取り除くように表示する。
【００１１】
また、構成部材には高温となる部材、例えば定着ローラ４１４と加圧ローラ４１５とその近傍部材があり、紙詰まり処理時には、高温となった構成部材にユーザが触れると問題であることから、その近傍に「高温注意」と記されたラベルが貼付されている。そこで、安全に使用可能な装置提供の為に装置内部の発熱部分における温度状態の変化をユーザに通知する方法として、発熱部材の温度をユーザの目視可能な位置に温度表示材を備える、又は温度状態を表示部に表示するといった方法が提案されている。例えば、特許文献２、特許文献３参照。
【特許文献１】特開平１０−１１４１２１号公報
【特許文献２】特開２００２−１４５５６号公報
【特許文献３】特開平１１−１１９６０９号公報
【発明の開示】
【発明が解決しようとする課題】
【００１２】
しかしながら、温度に関する専用の温度表示材を備えるとコストアップが懸念される。また表示部に温度に関する情報の表示を行うと、用紙詰まり処理手順に関する表示部分が少なくなってしまい、ユーザビリティの低下が懸念される。更に、ユーザに多くの情報を表示する為に表示部の拡大化を行うと同様にコストアップが懸念される。
【００１３】
そこで本発明は、用紙詰まり発生時に用紙位置や定着器温度によって表示部への用紙詰まり処理手順を変更することにより、紙詰まり処理のユーザビリティが向上した画像形成装置を提供することを目的とする。
【課題を解決するための手段】
【００１４】
本発明は、上述の目的を達成するため、以下の構成を備えるものである。
【００１５】
（１）情報を報知する表示部と、搬送路上の用紙を検出するセンサと、
定着器の温度を検知する温度検出手段と、前記センサの検出結果に応じて用紙詰まりを判断する制御手段とを有する画像形成装置であって、
前記表示部には、温度の情報を含む用紙の取り除き手順を示す第一の表示と、温度の情報を含まない用紙の取り除き手順を示す第二の表示のいずれかを表示でき、
前記制御手段は、前記用紙詰まりであると判断した場合に、
前記表示部に表示される前記第一の表示と前記第二の表示のいずれを表示すべきかを判断することを特徴とする画像形成装置。
【発明の効果】
【００１６】
以上説明したように、本発明によれば、用紙詰まり発生時に、用紙位置の判断結果や定着器の温度検知結果により用紙詰まり処理手順を変更することにより、ユーザの用紙詰まり処理のユーザビリティの向上を図ることが可能となる。また、用紙詰まり処理時に高温となる部材に触れることのない用紙からの処理手順を示すことにより、高温部材に対するユーザの安全性の向上を図ることが可能となる。
【発明を実施するための最良の形態】
【００１７】
以下、本発明を実施するための最良の形態を、実施例により詳しく説明する。
【実施例１】
【００１８】
（画像形成装置の全体構成）
図２は本発明に係る画像形成装置の概略構成図である。
【００１９】
図２に示す画像形成装置４００において、４０１は静電潜像担持体である感光ドラムである。感光ドラム４０１の上方には、感光ドラム４０１の表面を一様に帯電せしめる帯電ローラ４０２が、その表面に当接するように設けられている。
【００２０】
帯電ローラ４０２の、当接位置より感光ドラム４０１の回転方向下流側の帯電された表面には、発光手段によって光ビーム４０３が照射されるようになっている。該発光手段は、光ビーム４０３を発する半導体レーザ４０４と、平行光に偏光するコリメータレンズ４０５と、前記感光ドラム４０１の表面に走査せしめるポリゴンミラー４０６と、更に該表面でスポットを形成するよう調整する光学レンズ４０８から構成される。ポリゴンミラー４０６は、スキャナモータ４０７によって定速制御されている。
【００２１】
更に、画像データに応じて光ビーム４０３を照射することにより、前記感光ドラム４０１の表面に静電潜像を形成せしめる。この静電潜像は、光ビーム４０３の照射位置よりも更に感光ドラム４０１の回転方向下流側で感光ドラム４０１に当接するように配設された現像装置４０９によって、トナー像として現像される。このトナー像は、感光ドラム４０１に対向するように配設された転写ローラ４１０によって転写材たる用紙Ｐ上に転写される。
【００２２】
この用紙Ｐは感光ドラム４０１の上流側（図２において下側）の用紙カセット５００内に収納されているが、手差しでも給紙が可能である。用紙カセット５００の端部には給紙ローラ４１１が配設されており、該給紙ローラ４１１が回転しながら上下に揺動し、用紙カセット５００内の用紙Ｐをピックアップしフィードリタードローラ４１８により一番上の用紙が１枚のみ搬送路上へ送り込まれる。
【００２３】
給紙ローラ４１１と転写ローラ４１０との間の搬送路には、用紙Ｐの斜行補正および感光ドラム４０１上の画像形成と用紙搬送との同期をとるためのレジストローラ４１２が配設されている。このレジストローラ４１２は、上述した転写位置へ所定のタイミングで用紙Ｐを送り込む。給紙ローラ４１１、レジストローラ４１２および感光ドラム４０１の上流側にある搬送路は、本画像形成装置４００の給紙部を構成する。
【００２４】
なお、レジストローラ４１２と給紙ローラ４１１との間には、レジスト紙有無検知センサ４１３が配設されており、用紙Ｐの有無を検知するようになっている。
【００２５】
未定着トナー像を転写された用紙Ｐは、更に感光ドラム４０１の下流側（図２において左側）の定着器４５０へ搬送される。該定着器は内部に定着ヒータ（図示せず）を有する定着ローラ４１４と該定着ローラ４１４に圧接するように配設された加圧ローラ４１５で構成される。そして、サーミスタ４５１により定着ローラの温度を所定プリント温度に制御し、転写部から搬送されてきた用紙Ｐを上記定着ローラ４１４と加圧ローラ４１５との圧接部にて加圧しながら加熱することにより、用紙Ｐ上の未定着トナー像を定着せしめる。圧接部の下流側には該圧接部から用紙Ｐが搬送されることを確認する排紙紙有無検知センサ４１６が配設されている。更に、該排紙紙有無検知センサ４１６の下流側には、排紙ローラ４１７が配設されており、該排紙ローラ４１７は定着された用紙Ｐを排出する。
【００２６】
図３に示すように、画像形成装置はプリンタコントローラ３０２とエンジンコントローラ３０３を有している。プリンタコントローラは、ホストコンピュータ３０１から送られて来た所定の記述言語の画像情報を受信して展開し、これを各色成分が８ビットで構成されるＣ、Ｙ、Ｍ、Ｂｋの画像信号として出力し、エンジンコントローラは主にメカニカル制御を行う。エンジンコントローラにはエンジンの制御を行うＣＰＵ３０５を搭載して、上述した画像形成ユニットを制御し画像形成動作を行う。プリンタコントローラ３０２とエンジンコントローラ３０３との間には、画像信号以外にも種々の制御信号が授受される。また、プリンタコントローラ３０２とエンジンコントローラ３０３は通信ラインを介して制御信号を交換し、相互にその動作を同期させている。そして、プリンタコントローラ３０２は必要に応じて表示部６００を介して、ユーザへのプリンタ状態報知を行っている。
【００２７】
（画像形成装置の用紙詰まり検出）
画像形成装置４００での用紙詰まり検出方法について図２を用いて説明する。画像形成装置４００の電源投入後にレジスト紙有無検知センサ４１３、または排紙紙有無検知センサ４１６からの出力に応じて用紙があると判断される場合に紙詰まり有りと判断する。なお、判断はエンジンコントローラ３０３（ＣＰＵ３０５）で実行される。画像形成動作中の用紙詰まりは以下のような場合がある。
【００２８】
用紙カセット５００内の用紙Ｐをピックアップ後、所定時間内にレジスト紙有無検知センサ４１３に用紙Ｐが到達しない場合や、用紙Ｐがレジスト紙有無検知センサ到達後に用紙Ｐの搬送方向の距離分進む時間が経過しても該センサが用紙無しに変化しない場合。また、用紙Ｐがレジスト紙有無検知センサ４１３到達後に所定時間経過しても排紙紙有無検知センサ４１６に用紙が到達しない場合。更に、排紙紙有無検知センサ４１６に用紙が到達後、用紙Ｐの搬送方向の距離分進む時間が経過しても排紙紙有無検知センサ４１６が用紙無しに変化しない場合に用紙詰まりと判断する。
【００２９】
用紙詰まりを検出した場合には直ちに画像形成動作を中止し、表示部６００に用紙詰まり発生を表示し、ユーザに用紙詰まり処理を促す。レジスト紙有無検知センサ４１３で検知した用紙は右ドア７００を開けることで用紙詰まり処理が可能で、排紙紙有無検知センサ４１６で検知した用紙は左ドア７０１を開けることで用紙詰まり処理が可能である。排紙紙有無検知センサ４１６付近には定着器４５０があり、近傍の構成部材（発熱部分Ｈ）は高温となる為、ユーザが触れないように注意を促す必要がある。
【００３０】
（画像形成装置の用紙詰まり処理手順制御方法）
用紙詰まり処理手順制御方法について、図６、図７、図９、図１０、図１を用いて説明する。
【００３１】
図６はレジスト紙有無検知センサ４１３付近で用紙詰まりが発生した際の画像形成装置４００の例である。この場合は右ドア７００を開けることにより用紙詰まり処理が可能であり、用紙詰まり処理を行う際には発熱部分Ｈに触れることなく作業可能な例である。
【００３２】
図７は排紙紙有無検知センサ４１６付近で用紙詰まりが発生した際の画像形成装置４００の例である。この場合は左ドア７０１を開けることにより用紙詰まり処理が可能であり、用紙詰まり処理を行う際には発熱部分Ｈに触れる可能性がある例である。
【００３３】
図９は用紙詰まり発生時に表示部６００に表示する表示例の一つである。用紙詰まりが発生したことを示す情報と、用紙詰まり処理手順のため、右ドア７００を開ける必要があるという説明と、右ドア７００の位置をアニメーション表示している（第二の表示）。
【００３４】
図１０（ａ）は用紙詰まり発生時に表示部６００に表示する表示例の一つである。用紙詰まりが発生したことを示す情報と、用紙詰まり処理手順のため左ドア７０１を開ける必要があるという説明、更に左ドア７０１の位置をアニメーション表示している（第二の表示）。
【００３５】
図１０（ｂ）は用紙詰まり発生時に表示部６００に表示する表示例の一つである。用紙詰まりが発生したことを示す情報と、用紙詰まり処理手順のため左ドア７０１を開ける必要があるという説明、更に用紙詰まり処理時に高温に注意する必要があることを表示している（第一の表示）。
【００３６】
次に、本発明の特徴である用紙詰まり処理手順制御フローについて図１のフローチャートを用いて説明する。
【００３７】
まず図６で示す用紙詰まり発生例について説明する。用紙搬送センサ（本実施例の構成では、レジスト紙有無検知センサ４１３、排紙紙有無検知センサ４１６）により用紙詰まり位置を判断する（Ｓ１１００）。図６の用紙詰まり発生例では、レジスト紙有無検知センサ４１３のみにより用紙を検知しており、高温となる発熱部分に触らずに用紙詰まり処理可能と判断する（Ｓ１１０１）。よって温度情報を含まない用紙取り除き手順を表示部６００に表示する（Ｓ１１０２）。表示部６００の表示例を図９に示す。用紙詰まりが発生したことを示す情報と、用紙詰まり処理手順のため右ドア７００を開ける必要がある説明、更に右ドア７００の位置をアニメーション表示し、ユーザの用紙詰まり処理のユーザビリティの向上を図っている。
【００３８】
次に図７で示す用紙詰まり発生例について説明する。用紙搬送センサ（レジスト紙有無検知センサ４１３、排紙紙有無検知センサ４１６）により用紙詰まり位置を判断する（Ｓ１１００）。図７の用紙詰まり発生例では、排紙紙有無検知センサ４１６により用紙を検知しており、高温となる発熱部分に触れる可能性があると判断する（Ｓ１１０１）。次にサーミスタ４５１により定着器４５０の温度検出する（Ｓ１１０３）。検知温度が所定温度（例えばプリント温度−１００℃）以下の場合は、用紙詰まり発生後の時間経過によって、高温となる発熱部分Ｈの温度も安全な温度まで低下していると判断し、温度情報を含まない用紙詰まり処理手順を表示部６００に表示する（Ｓ１１０２）。表示部６００の表示例を図１０（ａ）に示す。用紙詰まりが発生したことを示す情報と、用紙詰まり処理手順のため左ドア７０１を開ける必要がある説明、更に左ドア７０１の位置をアニメーション表示し、ユーザの用紙詰まり処理のユーザビリティの向上を図っている。
【００３９】
所定温度以上を検知した場合は、温度情報を含む用紙詰まり処理手順を表示部６００に表示する（Ｓ１１０５）。表示部６００の表示例を図１０（ｂ）に示す。用紙詰まりが発生したことを示す情報と、用紙詰まり処理手順のため左ドア７０１を開ける必要がある説明、更に左ドア７０１の位置をアニメーション表示する替わりに、用紙詰まり処理時に高温に注意する必要があることを表示し、安全性の向上を図っている。
【００４０】
本実施例の制御によって、用紙詰まり処理手順の表示を選択することにより、用紙詰まり処理のユーザビリティの向上を図ること、高温部材に対するユーザの安全性の向上を図ることが可能となる。また、用紙詰まり処理手順を変更する条件としては、用紙位置と検知温度による条件に限定されるものではなく、検知温度のみにより用紙詰まり処理手順を選択する制御としても良い。
【００４１】
なお上記の所定温度は、所定温度＝プリント温度−１００℃であり、このプリント温度とは定着器の構成や用紙の種類によって適宜設定される温度である。
【００４２】
図４で示す制御フローは、実施例１で説明した用紙詰まり処理手順制御フロー（図１）から、用紙搬送センサ検知による発熱部分に触らずに用紙詰まり処理可能であるか否かという処理を除いた制御フローである。制御フローの詳細説明は図１と同じであるため省略する。図４の制御フロー例においても、同様に用紙詰まり処理のユーザビリティの向上を図ること、高温部材に対するユーザの安全性の向上を図ることが可能となる。
【実施例２】
【００４３】
本実施形態では、前記実施例１に示された画像形成装置において、複数の用紙詰まりが発生した場合における用紙詰まり処理手順の表示制御方法についての動作例を説明する。
【００４４】
本実施形態においても、第１の実施形態で、図２、図３を参照して説明した画像形成装置のシステム構成が使用される。従って、画像形成装置及び画像形成動作の説明は第１の実施形態を援用し、ここでは再度の説明は省略する。
【００４５】
（画像形成装置の用紙詰まり処理手順制御方法）
処理手順制御方法について、図８、図９、図１０、図５を用いて説明する。
【００４６】
図８は用紙Ｐ１、用紙Ｐ２を連続プリント中に定着ローラ４１４付近で先行用紙Ｐ１の用紙詰まりが発生した例である。用紙Ｐ１の用紙詰まり発生により、画像形成装置４００は画像形成動作を中断し、後続用紙Ｐ２も感光ドラム４０１付近で停止していることを示している。この時、用紙Ｐ１は排紙紙有無検知センサ４１６付近で用紙詰まりを発生しており、左ドア７０１を開けることにより用紙詰まり処理が可能であり、用紙詰まり処理を行う際には高温部分Ｈに触れる可能性がある例である。用紙Ｐ２はレジスト紙有無検知センサ４１３付近で停止しており、右ドア７００を開けることにより用紙詰まり処理が可能であり、用紙詰まり処理を行う際には高温部分Ｈに触れることなく作業可能な例である。
【００４７】
図９、図１０の用紙詰まり発生時の表示部６００への表示例は実施例１と同様であり説明は省略する。
【００４８】
本発明の特徴である用紙詰まり処理手順制御フローについて図５のフローチャート用いて、図８で示す用紙詰まり発生例について説明する。用紙搬送センサ（本実施例の構成においてもレジスト紙有無検知センサ４１３、排紙紙有無検知センサ４１６）により用紙詰まり位置を判断する（Ｓ１２００）。用紙Ｐ１は排紙紙有無検知センサ４１６により検知される為、高温部分Ｈに触らずに用紙詰まり処理可能とは判断しない。用紙Ｐ２はレジスト紙有無検知センサ４１３により検知されるため、高温部分Ｈに触らずに用紙詰まり処理可能と判断する。
【００４９】
よって、発熱部分に触らずに用紙詰まり処理可能な用紙があると判断し（Ｓ１２０１）、用紙Ｐ２に対する温度情報を含まない用紙取り除き手順を表示部６００に表示する。表示例を図９に示す。次に、全ての用紙が取り除かれたかを調べる（Ｓ１２０３）。全ての用紙が取り除かれたか否かは用紙搬送センサ（レジスト紙有無検知センサ４１３、排紙紙有無検知センサ４１６）に全て用紙が検知されないことで判断する。図９で示す指示により用紙Ｐ２が取り除かれたと仮定し、次に、残用紙Ｐ１に対する説明を行う。
【００５０】
全ての用紙が取り除かれていない場合は、再度用紙搬送センサ（レジスト紙有無検知センサ４１３、排紙紙有無検知センサ４１６）により、再び用紙位置を判断する。用紙Ｐ１は排紙紙有無検知センサ４１６で検知可能であることから、用紙が高温部分Ｈに近く、用紙詰まり処理時にユーザが発熱部分に触れる恐れがある。用紙Ｐ２は既に取り除かれている為、レジスト紙有無検知センサ４１３において用紙は検知されず、発熱部分に触らずに用紙詰まり処理可能な用紙は無いと判断する。
【００５１】
次にサーミスタ４５１により定着器４５０の温度を検知し（Ｓ１２０４）、検知温度が所定温度未満である場合は、温度情報を含まない用紙Ｐ１取り除く手順を表示する（Ｓ１２０２）（図１０（ａ））。そして、所定温度以上である場合は、温度情報を含む用紙Ｐ１取り除き手順を表示する（Ｓ１２０６）（図１０（ｂ））。
【００５２】
以上説明したように、本発明によれば、発熱部分に触らずに用紙詰まり処理可能な用紙を優先して用紙詰まり処理を行うことにより、発熱部分に触れる可能性のある用紙詰まり処理時には、時間経過により発熱部分の温度低下を狙う効果がある。その結果、ユーザの用紙詰まり処理の安全性を向上させることが可能となる。
【実施例３】
【００５３】
本実施形態では、前記実施例１、２に示された画像形成装置において、ユーザの安全性をより向上させる用紙詰まり処理手順制御方法についての動作例を説明する。
【００５４】
本実施形態においても、第１の実施形態で、図２、図３を参照して説明した画像形成装置のシステム構成が使用される。従って、画像形成装置及び画像形成動作の説明は第１の実施形態を援用し、ここでは再度の説明は省略する。また、用紙詰まり発生時の制御フローもついても図１及び図４を援用し説明を省略する。
【００５５】
実施例１、２では高温部分Ｈに触らずに用紙詰まり処理可能とは判断しない場合の表示部６００の表示例として図１０（ｂ）の例を説明した。本実施例では、図１０（ｂ）の替わりに図１１の表示例を表示部６００に表示する（第一の表示）。図１１は用紙詰まりが発生したことを示す情報と、機内が高温になっているため、用紙詰まり処理をユーザに待機させる為の説明を表示している。
【００５６】
前記実施例１、２では用紙詰まり処理手順を表示していたが、本実施例ではユーザが安全に用紙詰まりを処理可能な機内温度に低下するまでユーザの用紙詰まり処理を待機させる手順を表示している。よってユーザの用紙詰まり処理時の安全性を向上させることが可能となる。表示例の図１１ではユーザに待機させる時間は“３分”という表示例を示している。この時間は３分に限定されるものではなく、別の固定時間を用いても良い。サーミスタ４５１による検知温度から求める方法としても良い。さらには連続プリント時間と、停止時間から高温部分Ｈの昇温を予測する方法でも良い。
【００５７】
例えば、プリント時間  ×  Ａ  −  停止時間  ×  Ｂ  ＋  Ｃ  ［ｓｅｃ］という計算式で予測して求める。（Ａ，Ｂ，Ｃの各係数は、プリント温度、構成部材の熱容量等で決定される。）
以上説明したように、本発明によれば、用紙位置の判断結果や定着器の温度検知結果により用紙詰まり処理手順を変更することにより、ユーザの用紙詰まり処理の安全性を向上させることが可能となる。
【実施例４】
【００５８】
なお、本発明では、実施形態の機能を実現するソフトウェアのプログラムコードを記録した記憶媒体をシステム或は装置に提供し、そのコンピュータ（又はＣＰＵやＭＰＵ）が記憶媒体に格納されたプログラムコードを読み出し実行することでも達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５９】
また、コンピュータが読み出したプログラムコードを実行することにより、前述した実施の形態の機能が実現される。また、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００６０】
更に、記憶媒体から読み出されたプログラムコードが、コンピュータに挿入された機能拡張ボードやコンピュータに接続された機能拡張ユニットに備わるメモリに書きこまれる。その後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００６１】
また、上記実施の形態の機能を実現するソフトウェアのプログラムコードがネットワークを介して配信されることにより、システム又は装置のハードディスクやメモリ等の記憶手段又はＣＤ−ＲＷ、ＣＤ−Ｒ等の記憶媒体に格納される。そして、そのシステム又は装置のコンピュータ（又はＣＰＵやＭＰＵ）が当該記憶手段や当該記憶媒体に格納されたプログラムコードを読み出して実行することによっても、達成されることは云うまでもない。
【図面の簡単な説明】
【００６２】
【図１】第１の実施形態におけるフローチャート
【図２】画像形成装置の概略図
【図３】画像形成装置構成要素のブロック図
【図４】第１の実施形態におけるフローチャート２
【図５】第２の実施形態におけるフローチャート
【図６】第１の実施形態における用紙詰まり発生時の画像形成装置の概略図１
【図７】第１の実施形態における用紙詰まり発生時の画像形成装置の概略図２
【図８】第２の実施形態における用紙詰まり発生時の画像形成装置の概略図
【図９】第１、２の実施形態における表示部の表示例を示す図１
【図１０】第１、２の実施形態における表示部の表示例を示す図２
【図１１】第３の実施形態における表示部の表示例を示す図
【符号の説明】
【００６３】
３０１  ホストコンピュータ
３０２  プリンタコントローラ
３０３  エンジンコントローラ
３０５  ＣＰＵ（制御手段に対応）
４００  画像形成装置
４０１  感光ドラム
４０２  帯電ローラ
４０３  光ビーム
４０４  半導体レーザ
４０５  コリメータレンズ
４０６  ポリゴンミラー
４０７  スキャナモータ
４０８  光学レンズ
４０９  現像装置
４１０  転写ローラ
４１１  給紙ローラ
４１２  レジストローラ
４１３  レジスト紙有無検知センサ
４１４  定着ローラ
４１５  加圧ローラ
４１６  排紙紙有無検知センサ
４１７  排紙ローラ
４１８  フィードリタードローラ
４５０  定着器
４５１  サーミスタ（温度検出手段に対応）
５００  用紙カセット
６００  表示部
７００  右ドア
７０１  左ドア
【図１】
2008203512.tif 000003
【図２】
2008203512.tif 000004
【図３】
2008203512.tif 000005
【図４】
2008203512.tif 000006
【図５】
2008203512.tif 000007
【図６】
2008203512.tif 000008
【図７】
2008203512.tif 000009
【図８】
2008203512.tif 000010
【図９】
2008203512.tif 000011
【図１０】
2008203512.tif 000012
【図１１】
2008203512.tif 000013